(57)【要約】【課題】複数のラックに設置されたインテリジェントパッチング装置のネイティブサポートを有するラックコントローラ。【解決手段】一実施形態は、複数の独立したパッチング装置バスインタフェースを含む自動化されたインフラストラクチャ管理（ＡＩＭ）システムのマルチラックラックコントローラに関する。別の実施形態は、ラックコントローラを別のラックコントローラに接続するように構成された少なくとも１つのラックコントローラインタフェースを含むラックコントローラに関する。各ラックコントローラインタフェースは、それぞれの終端回路を備えている。ラックコントローラは、前記ラックコントローラインタフェースに関連する終端回路によって発現されたそれぞれの感知信号の機能として、各ラックコントローラインタフェースが別のラックコントローラに接続されているかどうかを決定するように構成される。別の実施形態は、ベースユニットの前面に配置された位置特定ボタンを有するベースユニットを含むラックコントローラに関する。他の実施形態が開示されている。【選択図】図１
2020523832.tif 000002
【特許請求の範囲】
【請求項１】
自動インフラ管理（ＡＩＭ）システムで使用するためのマルチラックのラックコントローラであって、
該ラックコントローラは、ソフトウェアを実行するように構成されたプロセッサと、複数の独立したパッチング装置バスインタフェースと、を備え、
各バスインタフェースは、前記プロセッサを、インテリジェントパッチング装置と通信し、該インテリジェントパッチング装置に電力を供給するために該インテリジェントパッチング装置がインストールされている複数のラックのそれぞれにインストールされているそれぞれのパッチング装置バスアセンブリに結合するように構成された、
ラックコントローラ。
【請求項２】
前記プロセッサは、インテリジェントパッチング装置の所与のアイテムに対して、前記ラックコントローラが、前記所与のアイテムとの通信に使用されている前記複数のパッチング装置バスインタフェースのうちのどれに基づいて、所与のアイテムが設置されている、どのラックと通信しているか、を決定するように構成される、請求項１に記載のラックコントローラ。
【請求項３】
前記複数のパッチング装置バスインタフェースが、前記複数のパッチング装置バスインタフェースのうちの、どれが、前記ラックコントローラの各ラックに取り付ける前記インテリジェントパッチング装置の結合に使用する必要があるかを特定する所定のスキームをサポートするように配置されている、請求項１に記載のラックコントローラ。
【請求項４】
前記プロセッサを外部ネットワークに結合するように構成された、外部ネットワークインタフェースをさらに備える、請求項１に記載のラックコントローラ。
【請求項５】
前記外部ネットワークインタフェースは、前記プロセッサをイーサネットローカルエリアネットワーク（ＬＡＮ）に結合するように構成されるイーサネットインタフェースを備える、請求項４に記載のラックコントローラ。
【請求項６】
少なくとも１つのラックコントローラインタフェースをさらに備え、各ラックコントローラインタフェースは、前記ラックコントローラを別のラックコントローラに接続するように構成される、請求項１に記載のラックコントローラ。
【請求項７】
各ラックコントローラインタフェースは、
前記ラックコントローラインタフェースが別のラックコントローラに接続されている場合、前記ラックコントローラインタフェースのそれぞれの感知信号に対して、それぞれの第１の所定のレベルを発現させ、
前記ラックコントローラインタフェースが別のラックコントローラに接続されていない場合、前記ラックコントローラインタフェースの前記それぞれの感知信号に対して、それぞれの第２の所定のレベルを発現させる
ように構成されたそれぞれの終端回路を備え、
前記プロセッサは、前記それぞれの感知信号の機能として、各ラックコントローラインタフェースが別のラックコントローラに接続されているかどうかを決定するように構成されている、
請求項４に記載のラックコントローラ。
【請求項８】
前記少なくとも１つのラックコントローラインタフェースは、デイジーチェーントポロジで、ラックコントローラのネットワークを確立するために、第１および第２ラックコントローラインタフェースを備える、請求項７に記載のラックコントローラ。
【請求項９】
前記第１ラックコントローラインタフェースの前記それぞれの第１の所定のレベルは、前記第２ラックコントローラインタフェースの前記それぞれの第１の所定のレベルと同じではない、請求項８に記載のラックコントローラ。
【請求項１０】
各ラックコントローラは、イーサネットケーブルに取り付けられたＲＪ−４５プラグに接続するように構成されている、それぞれのＲＪ−４５ジャックを備える、請求項７に記載のラックコントローラ。
【請求項１１】
前記プロセッサと、前記複数の独立したパッチング装置バスインタフェースとを備えるベースユニットをさらに備える、請求項１に記載のラックコントローラ。
【請求項１２】
前記ベースユニットは、前記ベースユニットの前面に配置された位置特定ボタンを備え、該位置特定ボタンは前記プロセッサに結合されており、
前記位置特定ボタンは、前記プロセッサにユーザ入力を提供するために、および、前記ラックコントローラに、アプリに前記ラックコントローラ、１つ以上のラック、または、該１つ以上のラックに取り付けられたパッチング装置少なくとも１つに関連付けられている情報を表示するためにポータブルデバイスで実行させるように動作可能なメッセージを送信させるために作動させることができる、
請求項１１に記載のラックコントローラ。
【請求項１３】
ケーブルを介して前記ベースユニットに接続されるように構成されたディスプレイユニットをさらに備える、請求項１１に記載のラックコントローラ。
【請求項１４】
自動インフラ管理（ＡＩＭ）システムで使用するためのラックコントローラであって、該ラックコントローラは、
ソフトウェアを実行するように構成されたプロセッサと、
少なくとも１つのパッチング装置バスインタフェースであって、各パッチング装置バスインタフェースは、前記プロセッサを、インテリジェントパッチング装置がインストールされているそれぞれのラックに設置された、それぞれのパッチング装置バスアセンブリに結合するように構成され、前記インテリジェントパッチング装置と通信し、前記インテリジェントパッチング装置に電力を供給するための少なくとも１つのパッチング装置バスインタフェースと、
少なくとも１つのラックコントローラインタフェースであって、各ラックコントローラインタフェースは、前記ラックコントローラを、別のラックコントローラに接続するように構成されている、少なくとも１つのラックコントローラインタフェースと、
を備え、
各ラックコントローラインタフェースは、
前記ラックコントローラインタフェースが別のラックコントローラに接続されている場合、前記ラックコントローラインタフェースのそれぞれの感知信号に対して、それぞれの第１の所定のレベルを発現させ、
前記ラックコントローラインタフェースが別のラックコントローラに接続されていない場合、前記ラックコントローラインタフェースのそれぞれの感知信号に対して、それぞれの第２の所定のレベルを発現させる
ように構成されたそれぞれの終端回路を備えており、
前記プロセッサは、それぞれの感知信号の機能として、各ラックコントローラインタフェースが別のラックコントローラに接続されているかどうかを決定するように構成される、
ラックコントローラ。
【請求項１５】
前記少なくとも１つのラックコントローラインタフェースは、デイジーチェーントポロジで、ラックコントローラのネットワークを確立するための第１および第２ラックコントローラインタフェースを備える、請求項１４に記載のラックコントローラ。
【請求項１６】
前記第１ラックコントローラインタフェースの前記それぞれの第１の所定のレベルは、前記第２ラックコントローラインタフェースの前記それぞれの第１の所定のレベルと、同じではない、請求項１５に記載のラックコントローラ。
【請求項１７】
各ラックコントローラは、イーサネットケーブルに取り付けられたＲＪ−４５プラグに接続されるように構成された、それぞれのＲＪ−４５ジャックを備えている、請求項１４に記載のラックコントローラ。
【請求項１８】
前記プロセッサを外部ネットワークに結合するように構成された外部ネットワークインタフェースをさらに含む、請求項１４に記載のラックコントローラ。
【請求項１９】
前記外部ネットワークインタフェースは、前記プロセッサをイーサネットローカルエリアネットワーク（ＬＡＮ）に結合するように構成されるイーサネットインタフェースを備える、請求項１８に記載のラックコントローラ。
【請求項２０】
前記プロセッサおよび前記パッチング装置バスインタフェースを備えるベースユニットをさらに備える、請求項１４に記載のラックコントローラ。
【請求項２１】
前記ベースユニットは、該ベースユニットの前面に配置された位置特定ボタンを備え、該位置特定ボタンは前記プロセッサに結合され、前記位置特定ボタンは、前記プロセッサにユーザ入力を提供し、前記ラックコントローラに、ポータブルデバイスで実行中のアプリに、前記ラックコントローラ、前記ラック、または、前記ラックに取り付けられたパッチング装置のうちの少なくとも１つに関連付けられている情報を表示させるように操作可能なメッセージを送信させるために、作動させることができる、請求項２０に記載のラックコントローラ。
【請求項２２】
ケーブルを介して前記ベースユニットに接続されるように構成されたディスプレイユニットをさらに備える、請求項２０に記載のラックコントローラ。
【請求項２３】
前記少なくとも１つのバスインタフェースは、複数の独立したパッチング装置バスインタフェースを備え、各パッチング装置バスインタフェースは、前記プロセッサを、インテリジェントパッチング装置がインストールされている複数のラックのそれぞれに、インテリジェントパッチング装置と通信し、インテリジェントパッチング装置に電力を供給するために、インストールされている、それぞれのパッチング装置バスアセンブリに結合するように構成される、請求項１４に記載のラックコントローラ。
【請求項２４】
自動インフラ管理（ＡＩＭ）システムで使用するラックコントローラであって、
該ラックコントローラは、
ソフトウェアを実行するように構成されたプロセッサと、
少なくとも１つのパッチング装置バスインタフェースであって、各パッチング装置バスインタフェースは、前記プロセッサを、インテリジェントパッチング装置と通信し、該インテリジェントパッチング装置に電力を供給するための、該インテリジェントパッチング装置がインストールされているそれぞれのラックに設置された、それぞれのパッチング装置バスアセンブリに結合するように構成される、少なくとも１つのパッチング装置バスインタフェースと、
ベースユニットの前面に配置された位置特定ボタンであって、該位置特定ボタンは、前記プロセッサに結合され、前記位置特定ボタンは、前記ベースユニットに結合されたディスプレイユニットがなくても前記プロセッサにユーザ入力を提供し、前記ラックコントローラに、前記ラックコントローラ、前記ラック、または、前記ラックに取り付けられたパッチング装置のうちの少なくとも１つに関連する情報を表示するためにポータブルデバイスでアプリを実行させる操作可能なメッセージを送信させるために作動させることができる、位置特定ボタンと、
を備える基本ユニットを備える、
ラックコントローラ。
【請求項２５】
ケーブルを介して前記ベースユニットに接続されるように構成されたディスプレイユニットをさらに備える、請求項２４に記載のラックコントローラ。
【請求項２６】
前記少なくとも１つのバスインタフェースは、複数の独立したパッチング装置バスインタフェースを備え、各パッチング装置バスインタフェースは、前記プロセッサを、インテリジェントパッチング装置がインストールされている複数のラックのそれぞれに、該インテリジェントパッチング装置と通信し、該インテリジェントパッチング装置に電力を供給するために、インストールされている、それぞれのパッチング装置バスアセンブリに結合するように構成される、請求項２４に記載のラックコントローラ。
【請求項２７】
前記プロセッサを外部ネットワークに結合するように構成された外部ネットワークインタフェースをさらに備える、請求項２４に記載のラックコントローラ。
【請求項２８】
前記外部ネットワークインタフェースは、前記プロセッサをイーサネットローカルエリアネットワーク（ＬＡＮ）に結合するように構成されるイーサネットインタフェースを備える、請求項２７に記載のラックコントローラ。
【請求項２９】
少なくとも１つのラックコントローラインタフェースであって、各ラックコントローラインタフェースは、前記ラックコントローラを別のラックコントローラに接続するように構成される、少なくとも１つのラックコントローラインタフェース、をさらに備える、請求項２４に記載のラックコントローラ。
【請求項３０】
各ラックコントローラインタフェースは、前記ラックコントローラインタフェースが別のラックコントローラに接続されている場合、前記ラックコントローラインタフェースのそれぞれの感知信号に対して、それぞれの第１の所定のレベルを発現させ、前記ラックコントローラインタフェースが別のラックコントローラに接続されていない場合、前記ラックコントローラインタフェースのそれぞれの感知信号に対して、それぞれの第２の所定のレベルを発現させるように構成されたそれぞれの終端回路を備えており、前記プロセッサは、それぞれの感知信号の機能として、各ラックコントローラインタフェースが別のラックコントローラに接続されているかどうかを決定するように構成される、請求項２９に記載のラックコントローラ。
【請求項３１】
前記少なくとも１つのラックコントローラインタフェースは、デイジーチェーントポロジで、ラックコントローラのネットワークを確立するための第１および第２ラックコントローラインタフェースを備える、請求項３０に記載のラックコントローラ。
【請求項３２】
前記第１ラックコントローラインタフェースの前記それぞれの第１の所定のレベルは、前記第２ラックコントローラインタフェースの前記それぞれの第１の所定のレベルと、同じではない、請求項３１に記載のラックコントローラ。
【請求項３３】
各ラックコントローラは、イーサネットケーブルに取り付けられたＲＪ−４５プラグに接続されるように構成された、それぞれのＲＪ−４５ジャックを備えている、請求項２９に記載のラックコントローラ。
【発明の詳細な説明】
【技術分野】
【０００１】
データセンターの情報技術（ＩＴ）インフラストラクチャにおいて存在するポート（または他の接続ポイント）の間で行われる接続を追跡するために使用される、自動化インフラストラクチャ管理（ＡＩＭ：Ａｕｔｏｍａｔｅｄ  Ｉｎｆｒａｓｔｒｕｃｔｕｒｅ  Ｍａｎａｇｅｍｅｎｔ）システム。
［関連出願への相互参照］
【０００２】
このアプリケーションは、「複数のラックにインストールされたインテリジェントパッチング装置のネイティブサポート付きラックコントローラ」と題された、２０１７年６月５日に出願された米国仮特許出願第６２／５１５，４９６号の利益を主張する。その内容は参照により本明細書に組み込まれる。
【背景技術】
【０００３】
自動化インフラストラクチャ管理（ＡＩＭ：Ａｕｔｏｍａｔｅｄ  Ｉｎｆｒａｓｔｒｕｃｔｕｒｅ  Ｍａｎａｇｅｍｅｎｔ）システムは、データセンターの情報技術（ＩＴ）インフラストラクチャにおいて存在するポート（または他の接続ポイント）の間で行われる接続を追跡するために使用される。ＡＩＭシステムは通常、そのようなパッチング装置のポートにおいて作られた接続を追跡するためのＡＩＭ関連機能を備えているパッチング装置で動作するように設計されている。このような「インテリジェントな」パッチング装置は、通常、ラックに搭載されている。各ラックには、通常、そのラックに搭載されたインテリジェントパッチング装置の各アイテムにたいして、ＡＩＭ関連機能に通信可能に結合されているラックコントローラが含まれる。ラックコントローラは、関連するラック内のパッチング装置のポート用に、接続情報を集約する。通常、各ラックコントローラは、ラックにいるユーザに情報を表示する表示デバイスおよび、ユーザからユーザ入力を受け取るためのユーザ入力デバイスを備える、または、それらに接続される。一例では、表示デバイスとユーザ入力デバイスは、情報の表示とユーザ入力の受信の両方に使用されるタッチスクリーン付き液晶ディスプレイ（ＬＣＤ）において、一緒に実装される。ディスプレイデバイスとユーザ入力デバイスのこの組み合わせは、ここでは「ディスプレイユニット」とも呼ばれる。
【０００４】
ディスプレイユニットは、関連するラックコントローラで実行されるソフトウェアのユーザインタフェースを表示するためにラックコントローラによって使用される。このラックコントローラソフトウェアは、たとえば、関連するラックに設置されたパッチング装置のポートにおいて作られた接続に関するユーザの情報を表示するため、そして、そのようなパッチング装置のポートにおいて作られた接続に関するユーザからの情報を受け取るために使用される。このようなラックコントローラソフトウェア、およびより一般的にはＡＩＭシステムは、通常、ラックコントローラで、ディスプレイユニットを使用するように設計されている。
【０００５】
通常、このようなＡＩＭシステムでは、各ラックコントローラは、ラックコントローラがインストールされているのと同じラックにインストールされるパッチング装置のみに接続するように設計される。単一のバス（ここでは「パッチング装置バス」とも呼ばれる）が、通常、ラックコントローラを、同じラックに設置されたインテリジェントパッチング装置に結合するために使用される。
【０００６】
米国特許公開第２０１００１４１３７９号は、ラックコントローラが第１のラックに設置されている状況で使用できる「パッチング装置バスエクステンダー」の使用について説明している。パッチング装置のバスエクステンダーは、隣接するラックに搭載されているため、隣接するラックに設置されたインテリジェントパッチング装置は、第１のラックに設置されたラックコントローラに接続できる。パッチング装置バスエクステンダーは、隣接するラックに取り付けられたパッチング装置を、第１のラックに取り付けられたパッチング装置を、ラックコントローラに接続するために使用される同じバスに接続するのに使用される。しかしながら、上記のように、このようなラックコントローラは通常、ラックコントローラがインストールされているのと同じラックにインストールされているパッチング装置で動作するように設計されている。すなわち、このような「シングルラック」ラックコントローラは、通常、単一のラックに通常インストールされるパッチ用装置のアイテムの数を超えて接続する能力を持っていない。パッチコントローラバスエクステンダーを使用して、ラックコントローラを隣接するラックに設置されたパッチマシンに接続する場合でも同様である。言い換えると、パッチング装置バスエクステンダーは通常、ラックコントローラがインストールされている第１のラックにパッチング装置が完全に装着されていない状況でのみ有用である。また、隣接するラックに取り付けられているパッチング装置のアイテムはごく少数である。
【０００７】
また、そのようなシングルラックラックコントローラで実行されるソフトウェアは、パッチング装置バスに接続されたすべてのインテリジェントパッチング装置が、ラックコントローラがインストールされているのと同じラックにインストールされると想定するように構成される。すなわち、このようなラックコントローラソフトウェアは、通常、ラックコントローラと同じラック内にないパッチング装置を処理する機能を含まない。
【０００８】
ＡＩＭシステムの目的のために、「ゾーン」に複数のラックを割り当てることができる。ここで、ゾーン内の各ラックの各ラックコントローラが、デイジーチェーンで、イーサネット（登録商標）ローカルエリアネットワーク（ＬＡＮ）に、最終的に、ＡＩＭシステムマネージャに外部接続を有する１つのラックコントローラ（デイジーチェーンのヘッド）と接続され、
【０００９】
ラックコントローラのデイジーチェーンをサポートするために、各ラックコントローは、２つのＲＪ−４５ジャックを含むことができる。１つは、アップストリームラックコントローラまたは外部イーサネットＬＡＮに接続され、もう１つは、ダウンストリームラックコントローラに接続されるか、外部のイーサネットＬＡＮに接続されているか、または、何にも接続されていない。通常、ラックコントローラは、各ＲＪ−４５ジャックのそれぞれの手動スイッチを含み、それぞれのＲＪ−４５の構成方法（つまり、第１のＲＪ−４５ジャックの場合、第１のＲＪ−４５ジャックがアップストリームラックコントローラまたはイーサネットＬＡＮに接続されているかどうか、または、第２のＲＪ−４５ジャックの場合、第２のＲＪ−４５ジャックがダウンストリームラックコントローラに接続されているかどうか、外部のイーサネットＬＡＮに接続されているか、または、何にも接続されていないか）を示す。
【発明の概要】
【００１０】
一実施形態は、自動化されたインフラストラクチャ管理（ＡＩＭ）システムで使用されるマルチラックラックコントローラに関する。ラックコントローラは、ソフトウェアを実行するように構成されたプロセッサと、複数の独立したパッチング装置バスインタフェースとを備えている。各バスインタフェースは、インテリジェントパッチング装置と通信し、インテリジェントパッチング装置に電力を供給するためにインテリジェントパッチング装置が設置されている複数のラックのそれぞれに設置されたパッチング装置バスアセンブリにプロセッサを接続するように構成されている。
【００１１】
別の実施形態は、自動化されたインフラストラクチャ管理（ＡＩＭ）システムで使用するためのラックコントローラに関する。ラックコントローラは、ソフトウェアを実行するように構成されたプロセッサと、少なくとも１つのパッチング装置バスインタフェースとを備えている。各パッチング装置バスインタフェースは、インテリジェントパッチング装置と通信し、インテリジェントパッチング装置に電力を供給するためにインテリジェントパッチング装置が設置されている各ラックに設置されたパッチング装置バスアセンブリにプロセッサを接続するように構成される。ラックコントローラは、少なくとも１つのラックコントローラインタフェースをさらに備えており、各ラックコントローラインタフェースは、ラックコントローラを別のラックコントローラに接続するように構成される。各ラックコントローラインタフェースは、前記ラックコントローラインタフェースが別のラックコントローラに接続されたときに前記ラックコントローラインタフェースのそれぞれの感知信号に対してそれぞれの第１の所定レベルを展開し、そして、前記ラックコントローラインタフェースが別のラックコントローラに接続されていないとき、前記ラックコントローラインタフェースの感知信号に対してそれぞれの第２の所定レベルを展開するように構成されたそれぞれの終端回路を備える。プロセッサは、それぞれの感知信号の機能として、各ラックコントローラインタフェースが別のラックコントローラに接続されているかどうかを決定するように構成されている。
【００１２】
別の実施形態は、自動化されたインフラストラクチャ管理（ＡＩＭ）システムで使用するためのラックコントローラに関する。ラックコントローラは、ソフトウェアを実行するように構成されたプロセッサと、少なくとも１つのパッチング装置バスインタフェースとを含むベースユニットを含む。各パッチング装置バスインタフェースは、インテリジェントパッチング装置と通信し、インテリジェントパッチング装置に電力を供給するためにインテリジェントパッチング装置が設置されている各ラックに設置されたパッチング装置バスアセンブリにプロセッサを接続するように構成される。ラックコントローラは、ベースユニットの前面に配置された位置特定ボタンをさらに備え、この位置特定ボタンはプロセッサに結合されている。位置特定ボタンは、ベースユニットに結合されたディスプレイユニットがない場合でもプロセッサにユーザ入力を提供するために、および、ラックコントローラ、ラック、または、ラックに取り付けられたパッチング装置のうちの少なくとも１つに関連する情報を表示するポータブルデバイスで実行中のアプリを実行させるメッセージをラックコントローラに送信させるために作動することができる。
【００１３】
他の実施形態が開示されている。
【００１４】
添付の図面および以下の説明において、さまざまな実施形態の詳細が記載されている。他の機能と利点が、本願明細書の説明、図面、および請求項から、明らかになる。
【図面の簡単な説明】
【００１５】
【図１】図１は、パッチング装置のアイテムを使用して行われた接続を追跡するように構成された自動化されたインフラストラクチャ管理（ＡＩＭ）システムの例示的な一実施形態を示す図である。
【図２】図２は、マルチラックラックコントローラの例示的な一実施形態を示すブロック図である。
【図３】図３は、ラックコントローラ（ＲＭ）ＬＡＮを形成するためのラックコントローラのデイジーチェーン接続の一例を示すブロック図である。
【図４】図４は、図３に示す終端回路の例示的な実施形態を示すブロック図である。
【図５】図５は、さまざまなタイプのＡＩＭ機能を実装するパッチング装置のアイテムを使用して作成された接続を追跡するように構成されている自動化されたインフラストラクチャ管理（ＡＩＭ）システムの  例示的な実施形態を示す。
【００１６】
さまざまな図面の同様の参照番号および名称は、同様の要素を示している。
【発明を実施するための形態】
【００１７】
図１は、パッチング装置１０４のアイテムを使用して行われた接続を追跡するように構成された自動化されたインフラストラクチャ管理（ＡＩＭ）システム１００の１つの例示的な実施形態を示す。この接続は、限定するものではないが、銅ケーブルおよび光ファイバーケーブルを含むさまざまな種類のケーブルで行うことができる。
【００１８】
図１に示すシステム１００は、データセンターまたはエンタープライズアプリケーションにおいて、実装することができる。他の実施形態は、（例えば、システム１００が、セントラルオフィスまたは、通信サービスプロバイダーのその他の施設において、および／または、電気通信サービスプロバイダーのネットワークの別の部分において実装されている場合）他の方法で実装することができる。
【００１９】
パッチング装置１０４は、（サーバー、ルーター、およびスイッチなど）装置の他のアイテム（図示せず）とともにラック１０６に配置されている。
【００２０】
図１に図示された１つの態様において、ＡＩＭシステム１００は、パッチング装置１０４のポート１１２において接続を追跡するためのＡＩＭ機能１１０を有する（パッチパネルなど）パッチング装置１０４とともに動作するように構成される。このパッチング装置１０４は、また、「インテリジェントパッチング装置」１０４として参照される。１つの態様において、ＡＩＭ機能１１０は、パッチング装置１０４の関連品目の各ポート１１２に対して、センサー、リーダー、インタフェース、または、および／または、関連するポート１１２に取り付けられたコネクタおよび／またはケーブルからの、あるいは、それらについての情報の存在の判定に使用するための他の回路（ここではまとめて「センサー」と呼ぶ）１１４を備える。１つの態様において、ＡＩＭ機能１１０は、インテリジェントパッチング装置１０４の関連アイテムの各ポート１１２に対して、ユーザに視覚的な指示を提供するため、例えば、ユーザが識別のポート１１２を視覚的に識別できるようにするために、（１つ以上の発光ダイオード（ＬＥＤ）など）１つ以上の視覚的インジケータ１１６を備える。１つの態様において、ＡＩＭ機能１１０は、また、インテリジェントパッチング装置１０４の関連アイテムの各ポート１１２に対して、（ユーザがそのポート１１２を選択できるボタンなど）それぞれのユーザ入力デバイス１１８を備える。
【００２１】
さまざまなタイプのＡＩＭ技術を使用できる。ＡＩＭ技術の１つのタイプは、コネクタがさまざまなデバイスのポートに挿入または削除されたときを感知することにより接続情報を推測する。別のタイプのＡＩＭ技術は、いわゆる「第９ワイヤ」または「第１０ワイヤ」技術を利用する。第９ワイヤ／第１０ワイヤ技術は、ケーブルの両端のどのポートが挿入されるかを決定するのに使用される１つ以上の追加の導体または信号経路を含む特殊なケーブルを使用する。さらに別のタイプのＡＩＭ技術は、ケーブルのコネクタと統合または接続されている電気的に消去可能なプログラム可能な読み取り専用メモリ（ＥＥＰＲＯＭ）または他のストレージデバイスを利用する。ストレージデバイスは、ケーブルまたはコネクタとその他の情報の識別子を格納するために使用される。関連付けられたコネクタが挿入されるポート（または他のコネクタ）は、コネクタが、パッチパネルのポートまたはパッチング装置の他のアイテムに挿入されたとき、ＥＥＰＲＯＭに保存されている情報を読み取るように構成されている。同様のアプローチは、（バーコードまたはＱＲコード（登録商標）など）光学式機械可読データ表現に用いられる。
【００２２】
別のタイプのＡＩＭ技術は、無線周波数識別（ＲＦＩＤ）タグとリーダーを使用する。ＲＦＩＤ技術により、ＲＦＩＤタグは、ケーブルのコネクタに取り付けられているか、ケーブル上のコネクタと統合されている。ＲＦＩＤタグは、ケーブルまたはコネクタとその他の情報の識別子を格納するために使用される。通常、ＲＦＩＤタグは、関連するコネクタが、パッチパネルのポート（または他のコネクタ）またはパッチング装置の他のアイテムに挿入された後、ＲＦＩＤリーダーを使用して読み取られる。
【００２３】
他のタイプのＡＩＭ技術を使用できる。
【００２４】
図１に図示される１つの態様において、インテリジェントパッチング装置の各アイテム１０４は、パッチング装置のそのアイテム１０４における他のＡＩＭ機能１１０と通信可能に結合されているそれぞれのプログラマブルプロセッサ１２０を含む。プログラマブルプロセッサ１２０は、各センサー１１４からの情報を読み取るか、そうでなければそれを受信し、各視覚インジケータ１１６の状態を制御し、そして、各ボタン１１８の状態を決定するソフトウェアを実行するように構成される。
【００２５】
センサー１１４、視覚インジケータ１１６、ボタン１１８、および、プロセッサ１２０は、パッチング装置１０４にネイティブに統合することができる、または、既に展開されているパッチング装置１０４にインストールできる改造キットにパッケージ化できる。
【００２６】
ＡＩＭシステム１００は、１つまたは複数のラックコントローラ１２２をさらに備える。
【００２７】
各ラックコントローラ１２２は、複数のラック１０６に設置されたＡＩＭ機能１１０を有するパッチング装置１０４に接続され、それを管理する。すなわち、そのような各ラックコントローラ１２２は、「マルチラック」ラックコントローラ１２２である。
【００２８】
この例示的な実施形態では、各マルチラックラックコントローラ１２２は、３つのラック１０６に設置されているパッチング装置１０４に接続されている。ただし、これは単なる一例であり、他の実施形態では、１つまたは複数のマルチラックラックコントローラ１２２は、異なる数のラック１０６に設置されたパッチング装置１０４に接続されることを理解すべきである。
【００２９】
この例示的な実施形態では、各マルチラックラックコントローラ１２２は、３つのラック１０６に取り付けられたインテリジェントパッチング装置との通信１０４のために、３つの独立した独立したパッチング装置バス１２３を使用するように構成される。
【００３０】
各ラックコントローラ１２２は、関連するラック１０６におけるパッチング装置１０４のポート１１２用の接続情報を集約する。より具体的には、各ラックコントローラ１２２は、各ポート１１２の状態を監視し、接続、または、そのポート１１２で発生する切断イベントを識別するために、関連するラック１０６に搭載されているパッチング装置１０４の各ポート１１２に関連付けられたセンサー１１４を使用する。また、各ラックコントローラ１２２は、ポート１１２に関連付けられ、そして、ポート１１２に関連付けられた各ボタン１１８の状態を監視するために、また、このようなボタン１１８で発生するイベント（たとえば、ボタンを押したりリリースしたりするイベント）を識別するために、視覚的インジケータ１１６を照らすか、さもなければ作動させるように構成される。
【００３１】
マルチラックラックコントローラ１２２の例示的な一実施形態が、図１２に示される。図１２に図示される１つの態様において、各ラックコントローラ１２２は、ソフトウェアまたはファームウェア１２６が実行される少なくとも１つのプログラマブルプロセッサ１２４を備える。ソフトウェア１２６は、適切な非一時的な記憶媒体、または、そこからプログラム命令の少なくとも一部がプログラマブルプロセッサ１２４によって読み取られ、それによって実行されるメディア１２８上に格納されている（または具体化されている）プログラム命令を含む。ソフトウェア１２６は、プロセッサ１２４に、そのラックコントローラ１２２によって実行されているものとしてここで説明する操作のうちの少なくともいくつかを実行させるように構成される。記憶媒体１２８は、コントローラ１２２に含まれているものとして、図２に示されているが、リモートストレージメディア（たとえば、ネットワーク経由でアクセス可能なストレージメディア）、および／または、リムーバブルメディアもまた使用できることが理解される。図２に図示される１つの態様において、各ラックコントローラ１２２は、プログラム命令およびソフトウェア１２６の実行中の関連データを保存するためにメモリ１３０も備える。
【００３２】
各マルチラックラックコントローラ１２２は、関連するラック１０６に配置された、ユーザに情報を表示するための表示装置１３２とそして、そのようなユーザからユーザ入力を受け取るためのユーザ入力装置１３４とを備える。図１および図２に示す一態様では、表示装置１３２とユーザ入力装置１３４とは、情報の表示とユーザ入力の受信の両方に使用される液晶ディスプレイ（ＬＣＤ）タッチスクリーンに一緒に実装されている。ディスプレイデバイス１３２とユーザ入力デバイス１３４のこの組み合わせは、本明細書では、「表示ユニット」１３６とも呼ばれる。この例の実施形態では、マルチラックコントローラ１２２は、ディスプレイユニット１３６を、マルチラックラックコントローラ１２２の残りの部分に対して移動できるように構成されている（例えば、ディスプレイユニット１３６は、出し入れ、上下に移動、傾斜、回転、等が可能である）。これを容易にするために、ラックコントローラ１２２の残りの部分はベースユニット１３８に実装され、ここで、ディスプレイユニット１３６は、電力、接地、および、例えば、ケーブル（たとえば、ＵＳＢケーブルとＵＳＢインタフェース１８２および１８４）を用いた通信のためにベースユニット１３８に結合される。この方法では、ディスプレイユニット１３６は、ユーザが表示ユニット１３６をより簡単に表示および／またはタッチできるようにするためにベースユニット１３８に対して移動することができる。
【００３３】
各マルチラックコントローラ１２２は、ベースユニット１３６、ディスプレイユニット１３８、および、マルチラックラックコントローラ１２２に接続されたパッチング装置１０４に電力を供給するように構成される電源１４０を含む。この例では、電源１４０は、２つの外部電源アダプタ（図示せず）を、ラックコントローラ１２２の電源１４０を２つの交流（ＡＣ）電源に結合するために使用できるように、２つの電源コネクタ１４２を含む。２つの電源コネクタ１４２、電源アダプタ、および、電源は、電源の冗長性のために使用される。また、電源１４０および電源アダプタは、インテリジェントパッチング装置１０４が完全に実装されているラック１０６に電力を供給するのに十分な容量があるように構成され、設計される。
【００３４】
図１に示されるように、この例示的な実施形態では、パッチング装置バス１２３のそれぞれが、対応するラック１０６のレールの１つに搭載されているそれぞれのパッチング装置バスアセンブリ１４６を使用して実装されている。パッチング装置バスアセンブリ１４６は、バス１２４を介して互いに電気的に結合されている複数のパッチング装置バスコネクタ１４８を含む。パッチング装置バスアセンブリ１４６はまた、バス１２３を実装し、バスコネクタ１４８をサポートする導体（または他の回路または相互接続）を囲むハウジング１５０を備える。ハウジング１５０は、ラック１０６のレールの１つに（例えば、接着剤、１つ以上のファスナーなどを介して、）搭載される。
【００３５】
上記のように、この例示的な実施形態では、各マルチラックラックコントローラ１２２は、３つのラック１０６に設置されたインテリジェントパッチング装置１０４と通信するために、３つの独立したパッチング装置バス１２３を使用する。これをするために、各マルチラックラックコントローラ１２２は、ラックコントローラ１２２を３つのパッチング装置バス１２３に接続し、そしてパッチング装置バス１２３を介してそのラック１０６に設置されたパッチング装置１０４に電力と接地を提供し、そしてラックコントローラ１２２におけるプロセッサ１２４と、パッチング装置バス１２３を介してラック１０６に設置されたパッチング装置１０４との間の通信を可能にするために、３つのパッチング装置バスインタフェース１５２を含む。各パッチング装置バスインタフェース１５２は、それぞれのパッチング装置バスアセンブリ１４６のパッチング装置のバスコネクタ１４８に、そのパッチング装置のバスコネクタ１５４を接続する適切なケーブルで使用できるそれぞれのパッチング装置バスコネクタ１５４（図２に示す）を備える。
【００３６】
この例示的な実施形態では、各パッチング装置バス１２３は２０ラインのバスで構成され、したがって、パッチング装置バスコネクタ１４８および１５４のそれぞれは、２０ピンコネクタを備える。各パッチング装置バス１２３の２０ラインのうち１６ラインは、Ｉ２Ｃバスに対して、パッチング装置１０４への電力、接地、通信を供給するために使用され、各パッチング装置バス１２３の他の４ラインは、プログラミングおよびデバッグ用の２つのＲＳ−４８５シリアルバスを実装するために使用される。しかしながら、この一例と他の実施形態は、他の方法で実装できることが理解されるべきである。
【００３７】
十分に強力なプロセッサ１２４と電源１４０とともに、複数の独立した独立したパッチング装置のバスインタフェース１５２を使用することにより、マルチラックラックコントローラ１２２は、複数のラック１０６内の単一のラックのパッチング装置１０４以上をサポートすることができる。これは、米国特許公開番号２０１００１４１３７９に記載されているパッチング装置バスエクステンダーを使用する、上記の背景で説明したアプローチとは対照的である。そして、シングルラックラックコントローラは、通常、単一のラックに相当するインテリジェントなパッチング装置のみをサポートする。
【００３８】
マルチラックラックコントローラ１２２のパッチング装置バスコネクタ１５４は、さまざまなラックに設置１０６に、所定のスキームまたはポリシーにしたがって、パッチング装置のバスアセンブリ１４６に接続できる。結果として、マルチラックラックコントローラ１２２のプロセッサ１２４で実行されるソフトウェア１２６は、コントローラ１２２が通信しているパッチング装置の所与のアイテム１０４に対して、この事前に決定されたスキームまたはポリシーを使用して、以下を決定できる。このアイテムは、ラック１０６に設置されている。
【００３９】
図１および図２に示される例示的な実施形態では、マルチラックラックコントローラ１２２には、列に配置された３つのパッチング装置バスコネクタ１５４を含む。マルチラックラックコントローラ１２２がセンターラック１０６に設置されることを特定する事前定義されたポリシーを使用できる。このポリシーは、その並びの左側のパッチング装置バスコネクタ１５４が、コントローラ１２２の左端のラック１０６に搭載されたパッチング装置バスアセンブリ１４６への接続に使用されること、その並びの中央のパッチング装置のバスコネクタ１５４が、コントローラ１２２を（ラックコントローラ１２２がインストールされているラック１０６である）中央ラック１０６に搭載されたパッチング装置バスアセンブリ１４６に接続するために使用させること、および、その並びの右側のパッチング装置のバスコネクタ１５４が、コントローラ１２２を右端のラック１０６に搭載されたパッチング装置バスアセンブリ１４６に接続するのに使用されることを特定する。
【００４０】
次に、マルチラックラックコントローラ１２２において、プロセッサ１２４で実行されるソフトウェア１２６は、コントローラ１２２が通信しているパッチング装置の所与のアイテム１０４に対して、パッチング装置１０４のアイテムがインストールされた、どのラック１０６が、どのパッチング装置のバスインタフェース１５２かを識別することによって、パッチング装置１０４のそのアイテムと通信するために使用されていることを決定することができる。米国特許公開第２０１００１４１３７９号に記載されているパッチング装置バスエクステンダーを使用するバックグラウンドにおいて、これは上記のアプローチとは対照的である。ここで、シングルラックラックコントローラは自動的に、パッチング装置のアイテムが、どのラックに設置されるかを決定できない。代わりに、パッチング装置のすべてのアイテムが同じラックに取り付けられると想定する。
【００４１】
図１に示す例示的な実施形態では、ＡＩＭシステム１００の目的のために、複数のラック１０６をゾーン１５８に割り当てることができる。ここで、ゾーン１５８のラック１０６のマルチラックラックコントローラ１２２は、デイジーチェーンで、１つのコントローラ１２２（デイジーチェーンのヘッド）に接続されている。コントローラ１２２は、外部ネットワーク１６０への外部接続を持ち、それを介してコントローラ１２２は最終的にＡＩＭシステムマネージャ１６２と通信することができる。この例では、外部ネットワーク１６０は、イーサネットローカルエリアネットワーク（ＬＡＮ）として実装され、「カスタマＬＡＮ」とも呼ばれる。
【００４２】
この実施形態では、各マルチラックラックコントローラ１２２は、マルチラックラックコントローラ１２２を外部ネットワーク１６０へ直接接続するために使用できる外部ネットワークインタフェース１６４を備える上記のように、この例示的な実施形態では、外部ネットワーク１６０は、イーサネットＬＡＮとして実装され、結果として、外部ネットワークインタフェース１６４は、イーサネットインタフェースを含む。これは、ここでは「イーサネットインタフェース」１６４とも、または「カスタマＬＡＮインタフェース」１６４とも呼ばれる。
【００４３】
様々なラックコントローラ１２２は、資産および接続情報をＡＩＭシステムマネージャ１６２へ提供する。１つの態様では、ＡＩＭシステムマネージャ１６２は、すべてのゾーン１５８で資産と接続の情報を編集するように、また、これらのゾーン１５８で行われた接続のエンドツーエンドのトレースを提供するように構成される。ＡＩＭシステムマネージャ１６２は、ＡＩＭデータベース１６６のさまざまなゾーン１５８に対して資産と接続情報を保存する。
【００４４】
この実施形態では、各マルチラックラックコントローラ１２２は、デイジーチェーン構成において、各ラックコントローラ１２２をゾーン１５８内の他のマルチラックラックコントローラ１２２へ接続するために使用できる２つのラックコントローラインタフェース１６８も備える。所与のゾーン１５８のラックコントローラ１２２は、デイジーチェーン接続されてラックコントローラ（またはラックマネージャ）ネットワークを形成し、それは、「ラックマネージャＬＡＮ」または「ＲＭ  ＬＡＮ」とも呼ばれる。結果として、ラックコントローラインタフェース１６８は、ここでは「ＲＭ  ＬＡＮインタフェース」１６８とも呼ばれる。
【００４５】
この例では（図２に示すように）、ＲＭＬＡＮインタフェース１６８の第１のものは、「ＩＮ」ＲＭＬＡＮインタフェース１６８として指定され、他方のＲＭＬＡＮインタフェース１６８は、「ＯＵＴ」ＲＭＬＡＮインタフェース１６８として指定される。ＩＮ  ＲＭ  ＬＡＮインタフェース１６８は、関連するラックコントローラ１２２を、ＲＭＬＡＮ内の上流ラックコントローラ１２２に接続するために、または、ラックコントローラ１２２に接続しないために、使用される。ＯＵＴ  ＲＭ  ＬＡＮインタフェース１６８は、関連するラックコントローラ１２２をＲＭＬＡＮの下流、上流ラックコントローラ１２２に接続するために、または、ラックコントローラ１２２に接続しないために使用される。ＲＭ  ＬＡＮを形成するためのラックコントローラ１２２のデイジーチェーン接続の一例が図３に示されている。
【００４６】
この例では、ＲＭ  ＬＡＮは、ＲＪ−４５プラグで終端された１０／１００ＢＡＳＥ−Ｔイーサネットケーブルを使用して実装され、各ＲＭ  ＬＡＮインタフェース１６８は、１０／１００ＢＡＳＥ−Ｔイーサネットケーブルに取り付けられたＲＪ−４５プラグに接続されるように構成されたそれぞれのＲＪ−４５ジャック１７０を備えている。この例では、カスタマＬＡＮ１６０との間で通信されるイーサネットトラフィックは、必要に応じて、ＲＭ  ＬＡＮを介してラックコントローラ１２２間で転送される。また、この例では、１０／１００ＢＡＳＥ−Ｔ  ＥＴＨＥＲＮＥＴ（登録商標）ケーブルの未使用ペアの１つは、また、ＲＭ  ＬＡＮを介したＲＳ−４８５バスの実装にも使用される。
【００４７】
各ラックコントローラ１２２（より具体的には、コントローラ１２２内のプロセッサ１２４上で実行されるソフトウェア１２６）は、ＲＭ  ＬＡＮインタフェース１６８の接続状態を自動的に判断し、それに応じてＲＭ  ＬＡＮおよびカスタマＬＡＮ１６０を介して通信するように構成される。ＩＮおよびＯＵＴ  ＲＭ  ＬＡＮインタフェース１６８は、それぞれの終了判定回路１７２および１７４を備える。各終端回路１７２および１７４は、関連するＲＭ  ＬＡＮインタフェース１６８の接続ステータスを決定するために、ラックコントローラ１２２で検出できる信号を作成するように構成される。
【００４８】
図４は、図２に示す終端回路１７２および１７４の例示的な実施形態を示すブロック図である。終端回路１７２は、ＩＮ  ＲＭ  ＬＡＮインタフェース１６８の一部として実装され、終端回路１７４は、ＯＵＴ  ＲＭ  ＬＡＮインタフェース１６８の一部として実装される。
【００４９】
この例では、イーサネットトラフィックは、標準的なペアを使用した標準的な（つまり、ペア２（ピン３および６に対応）およびペア３（ピン１および２に対応）を使用する）方法で１０／１００ＢＡＳＥ−Ｔイーサネットケーブルを介して通信される。また、ＥＴＨＥＲＮＥＴトラフィックには使用されない１０／１００ＢＡＳＥ−Ｔイーサネットケーブルのペアの１つは、ＲＳ−４８５バスに使用され、（この例では、ペア１（ピン４および５に対応））、および、ＥＴＨＥＲＮＥＴトラフィックには使用されない１０／１００ＢＡＳＥ−Ｔ  ＥＴＨＥＲＮＥＴケーブルのもう１つのペアは、関連付けられたＲＭ  ＬＡＮインタフェース１６８（この例では、ペア４（ピン７と８に対応））の接続ステータスを決定するために、ラックコントローラ１２２で検出できる信号を発生するために使用される。
【００５０】
この例では、信号（４８５＿ＴＥＲＭ＿ＳＥＮＳＥ）は、ＩＮ  ＲＭ  ＬＡＮインタフェース１６８のＲＪ−４５コネクタ１７０のピン７で発生される。終端回路１７２は、正の電源電圧レール（＋ＩＳＯ＿Ｖ）とＩＮ  ＲＭ  ＬＡＮインタフェース１６８用のＲＪ−４５コネクタ１７０のピン７との間に直列に結合されている第１の抵抗器（Ｒ１）４０２を含む。ＩＮ  ＲＭ  ＬＡＮインタフェース１６８のＲＪ−４５コネクタ１７０のピン８は、グランド（ＩＳＯ＿ＧＮＤ）に結合される。この例では、第１の抵抗Ｒ１は、１０キロオームの抵抗を使用して実装される。
【００５１】
この例では、信号（４８５＿ＴＥＲＭ＿ＳＥＮＳＥ）は、ＯＵＴ  ＲＭ  ＬＡＮインタフェース１６８のＲＪ−４５コネクタ１７０のピン７で発現される。終端回路１７４は、正の電源電圧レール＋ＩＳＯ＿ＶとグランドＩＳＯ＿ＧＮＤの間に直列に結合される第２抵抗器（Ｒ２）４０４および第３抵抗器（Ｒ３）４０６を備える。ＯＵＴ  ＲＭ  ＬＡＮインタフェース１６８のＲＪ−４５コネクタ１７０のピン７は、第２と第３の抵抗Ｒ２とＲ３の間の第４の抵抗器（Ｒ４）４０８を介して接合部に結合される。この例では、第２と第４の抵抗Ｒ２とＲ４は、１０キロオームの抵抗を使用して実装され、そして第３の抵抗Ｒ３は、４．５キロオームの抵抗を使用して実装される。
【００５２】
２つのラックコントローラ１２２がデイジーチェーン接続されている場合、第１の（上流）ラックコントローラ１２２のＯＵＴ  ＲＭ  ＬＡＮインタフェース１６８は、１０／１００ＢＡＳＥ−Ｔ  ＥＴＨＥＲＮＥＴケーブル経由を介して、第２の（下流）ラックコントローラ１２２のＩＮ  ＲＭ  ＬＡＮインタフェース１６８に接続されている。これが発生すると、第１および第２のラックコントローラ１２２のＯＵＴおよびＩＮ  ＲＭ  ＬＡＮインタフェース１６８の終端回路１７２および１７４は、それぞれ、互いに結合され、ＯＵＴおよびＩＮ  ＲＭ  ＬＡＮインタフェース１６８のＲＪ−４５コネクタ１７０のピン７上の４８５＿ＴＥＲＭ＿ＳＥＮＳＥ信号は、第１の所定のレベル（この例では３．２７ボルト）を有する。
【００５３】
１０／１００ＢＡＳＥ−Ｔ  ＥＴＨＥＲＮＥＴケーブルがラックコントローラ１２２のＯＵＴ  ＲＭ  ＬＡＮインタフェース１２２へ接続されていない場合、ＯＵＴ  ＲＭ  ＬＡＮインタフェース１６８のＲＪ−４５コネクタ１７０のピン７の４８５＿ＴＥＲＭ＿ＳＥＮＳＥ信号は、第２の所定のレベル（この例では１．５５ボルト）を有する。
【００５４】
１０／１００ＢＡＳＥ−Ｔ  ＥＴＨＥＲＮＥＴケーブルがラックコントローラ１２２のＩＮ  ＲＭ  ＬＡＮインタフェース１２２に接続されていない場合、ＲＪ−４５コネクタ１７０のピン７の、ＩＮ  ＲＭ  ＬＡＮインタフェース１６８の４８５＿ＴＥＲＭ＿ＳＥＮＳＥ信号は、第３の所定のレベル（この例では５ボルト）を有する。
【００５５】
ＩＮおよびＯＵＴ  ＲＭ  ＬＡＮインタフェース１６８のＲＪ−４５コネクタ１７０のピン７上において、４８５＿ＴＥＲＭ  ＳＥＮＳＥ信号の信号レベルを確認することにより、ラックコントローラ１２２のプロセッサ１２４で実行されるソフトウェア１２６は、関連付けられたＲＭ  ＬＡＮインタフェース１６８の接続状態を判別できる。
【００５６】
この例では、ラックコントローラ１２２におけるプロセッサ１２４で実行されているソフトウェア１２６が、ＩＮ  ＲＭ  ＬＡＮインタフェース１６８のＲＪ−４５コネクタ１７０のピン７で４８５＿ＴＥＲＭＳ＿ＳＥＮＳＥ信号の第１の所定レベルを検出するとき、ソフトウェア１２６は、ＩＮ  ＲＭ  ＬＡＮインタフェース１６８は、別のラックコントローラ１２２のＯＵＴ  ＲＭ  ＬＡＮインタフェース１６８に接続されていると結論付ける。同様に、この例では、ラックコントローラ１２２のプロセッサ１２４で実行されるソフトウェア１２６が、ＯＵＴ  ＲＭ  ＬＡＮインタフェース１６８のＲＪ−４５コネクタ１７０のピン７において、４８５＿ＴＥＲＭＳ＿ＳＥＮＳＥ信号の第１の所定のレベルを検出するとき、ソフトウェア１２６は、ＯＵＴ  ＲＭ  ＬＡＮインタフェース１６８が、別のラックコントローラ１２２のＩＮ  ＲＭ  ＬＡＮインタフェース１６８に接続されていると結論付ける。
【００５７】
この例では、ラックコントローラ１２２のプロセッサ１２４で実行されるソフトウェア１２６が、ＯＵＴ  ＲＭ  ＬＡＮインタフェース１６８のＲＪ−４５コネクタ１７０のピン７において、４８５＿ＴＥＲＭＳ＿ＳＥＮＳＥ信号の第２の所定レベルを検出するとき、ソフトウェア１２６は、ＯＵＴ  ＲＭ  ＬＡＮインタフェース１６８が、別のラックコントローラ１２２に接続されていないと結論付ける。この例では、ラックコントローラ１２２におけるプロセッサ１２４で実行されるソフトウェア１２６が、ＩＮ  ＲＭ  ＬＡＮインタフェース１６８のＲＪ−４５コネクタ１７０のピン７において、４８５＿ＴＥＲＭＳ＿ＳＥＮＳＥ信号の第３の所定レベルを検出するとき、ソフトウェア１２６は、ＩＮ  ＲＭ  ＬＡＮインタフェース１６８は別のラックコントローラ１２２に接続されていないと結論付ける。この方法では、ソフトウェア１２６は、関連するＲＭ  ＬＡＮインタフェースの１６８の接続状態を決定することができる。このアプローチは手動スイッチを使用しない。これにより、このようなラックコントローラ１２２のインストールプロセスが簡素化される。
【００５８】
再び図１を参照すると、ＡＩＭシステム１００は、スマートフォンやタブレットなどポータブルデバイス１７８で実行されるように設計されているＡＩＭアプリケーション（または「アプリ」）１７６をさらに含む（ただし、デスクトップまたはラップトップコンピューターがインストールされている他の種類のデバイスでも実行できる）。
【００５９】
ＡＩＭアプリ１７６は、ＡＩＭシステムマネージャ１６２およびラックコントローラ１２２（およびラックコントローラ１２２に結合されたインテリジェントパッチング装置１０４）とインタラクトする。ＡＩＭアプリ１７６は、ユーザが、そうでなければ、各ラックコントローラ１２２のディスプレイユニット１３６を使用して実行されるであろうさまざまな機能を実行できるように構成されている。これにより、ラックコントローラ１２２は、ディスプレイユニット１３６を省略することができ、そのため、ラックコントローラ１２２用のディスプレイユニット１３６の提供に関連するコストを回避できる。
【００６０】
ラックコントローラ１２２がディスプレイユニット１３６なしで使用されている場合、ＡＩＭシステム１００の構成をサポートするために、この例示的な実施形態では、各ラックコントローラ１２２のベースユニット１３８は、また、ベースユニット１３８の前面に位置特定ボタン１８０を含む。この位置特定ボタン１８０は、対応するラックコントローラ１２２において、プロセッサ１２４で実行されるソフトウェア１２６が、位置特定ボタン１８０が押されて離されたときを決定することができるように、プロセッサ１２４に結合されている。この例では、ベースユニット１３８は、ベースユニット１３８の前面に１つの位置決めボタン１８０を含む。しかし、他の実施形態では、（例えば、そのコントローラ１２２で使用される各ラック１０６に対してマルチラックラックコントローラ１２２に別の位置特定ボタン１８０がある場合）他の数の位置特定ボタン１８０を使用することができる。
【００６１】
位置特定ボタン１８０は、さまざまなワークフローで使用できる。
【００６２】
この例では、ラックコントローラ１２２（およびそこで実行されるソフトウェア１２６）、ＡＩＭシステムマネージャ１６２、ＡＩＭアプリ１７６は、次の方法で位置特定ボタン１８０を使用する。
【００６３】
ラックコントローラ１２２をインストールして構成した後、ユーザがそのラックコントローラ１２２によって管理されるラック１０６でトレースまたはパッチを実行しているとき、ユーザは、ラックコントローラ１２２の前面にある位置特定ボタン１８０を、ＡＩＭアプリ１７６に、そのラックコントローラ１２２によって管理される１つ以上のラック１０６に対して情報を表示するためにフォーカスを移動させるために、押すことができる。その後、これらのラック１０６でローカル操作が実行されるとき、ＡＩＭアプリ１７６は、ローカル操作と関連するラックコントローラ１２２、ラック１０６、および／またはパッチング装置１０４についての情報を表示する。そのようなローカル操作の例は、関連するラック１０６内のパッチング装置１０４のポート１１２へパッチコードを挿入すること、関連するラック１０６において、パッチング装置１０４のポート１１２からパッチコードを取り外すこと、および／または、関連するラック１０６においてパッチング装置１０４のポート１１２に関連するポートボタン１１８を押すことにより回路接続の追跡することを含む。
【００６４】
ユーザが位置特定ボタン１８０を押すことに応じて、ＡＩＭシステムマネージャ１６２にメッセージを送信して、このような情報を表示するために、ラックコントローラ１２２は、ＡＩＭアプリ１７６にその焦点をシフトさせる。位置特定ボタン１８０が押された場所のラックコントローラ１２２が、カスタマＬＡＮ１６０に直接接続されていない場合、メッセージは、関連するゾーン１５８のＲＭ  ＬＡＮ経由で、顧客のＬＡＮ  １６０に直接接続されているラックコントローラ１２２に転送される。これは、カスタマＬＡＮ  １６０経由で、ＡＩＭシステムマネージャ１６２にメッセージを転送する。そのようなメッセージの受信に応じて、ＡＩＭシステムマネージャ１６２は、メッセージをＡＩＭアプリ１７６に送信する。これらの各メッセージは、どのラックコントローラの位置特定ボタン１８０が押されたかを識別する位置情報を含む。このメッセージの受信に応じて、ＡＩＭアプリ１７６は、位置特定ボタン１８０が押されたラックコントローラ１２２、関連するラック１０６、および／または関連するパッチング装置１０４についての情報を表示するためにフォーカスを移動する。
【００６５】
これがないと、ＡＩＭアプリ１７６にとって、どのラックのローカル情報を表示するかを決定することが困難または不便であり得る。例えば、ディスプレイユニット１３６は、各ラックコントローラ１２２に対して提供される必要があり得る、または、ＡＩＭアプリ１７６のユーザが、関連するラック１０６またはラックコントローラ１２２に対する位置情報を手動で入力する必要があり得る、または、ＡＩＭアプリ１７６のユーザインタフェースにおいて、（例えば、ツリースタイルのユーザインタフェース要素を「ドリルダウン」することにより）ラック１０６またはラックコントローラ１２２へナビゲートする必要があり得るこれらのアプローチは、ラックコントローラ１２２（およびそこで実行されるソフトウェア１２６）、ＡＩＭシステムマネージャ１６２、および、上述のように位置特定ボタン１８０を使用するためのＡＩＭアプリ１７６を構成することで回避できる。
【００６６】
位置特定ボタン１８０は、他のワークフローで使用できる。例えば、ラックコントローラ１２２が最初に設置されたとき、ユーザのポータブルデバイスで実行されるＡＩＭアプリ１７６は、セットアップとインストール、ラックコントローラ１２２、パッチング装置バスアセンブリ１４６、および、インテリジェントパッチング装置１０４を構成するワークフローを通じてユーザをガイドできる。しかしながら、ラックコントローラ１２２が最初にインストールされ、カスタマのＬＡＮ１６０に接続され、そして、電源がオンになったとき、ラックコントローラ１２２が、以前に、ＡＩＭシステムマネージャ１６２によって発見されていない可能性がある。複数のラックコントローラ１２２が同時に設置されている場合、通常、どのラックコントローラ１２２で、または、どのラックコントローラ１２２にたいして、インストールおよび構成のワークフローにおける特定の操作が実行されているか、を識別または確認するためにラックコントローラ１２２、および／または、ＡＩＭシステムマネージャ１６２に入力を提供する必要がある。
【００６７】
ラックコントローラ１２２がベースユニット１３８に接続されたディスプレイユニット１３６を有する場合、ディスプレイユニット１３６のタッチスクリーン１３４は、このような確認入力をラックコントローラ１２２およびＡＩＭシステムマネージャ１６２に提供するために使用できる。
【００６８】
しかしながら、ラックコントローラ１２２がディスプレイユニット１３６なしで使用されている場合、別の方法でそのような確認入力を提供できることが望ましい。これは、各ラックコントローラ１２２のベースユニット１３８の前面にある位置特定ボタン１８０を使用して実行できる。このようにして、ラックコントローラ１２２を識別する他のより面倒な（たとえば、ラックコントローラ１２２のシリアル番号をＡＩＭアプリ１７６に手動で入力する）方法を、使用する必要はない。
【００６９】
図５は、異なるタイプのＡＩＭ機能１１０および５１０を実装するパッチング装置１０４および５０４のアイテムを使用して作成された接続を追跡する・ように構成された自動インフラストラクチャ管理（ＡＩＭ）システム５００の例示的な実施形態を示す。接続は、銅ケーブルおよび光ファイバーケーブルを含む、さまざまな種類のケーブルで行うことができる。しかし、これらに限定されるものではない。
【００７０】
システム５００は、以下に説明する場合を除き、図１のシステム１００と同様である。ＡＩＭシステム１００の対応する要素と同じＡＩＭシステム５００のこれらの要素は、図５と同じ参照番号を使用しており、そのような要素の説明は、図２に関連して以下で繰り返されない。
【００７１】
図５に示す例示的な実施形態では、インテリジェントパッチング装置１０４の１セットは、ラック１０６に設置されたラックコントローラ１２２の使用を要求し、そして、パッチング装置バス１２３を介してパッチング装置１０４に結合されているＡＩＭ機能１１０を実装する。図５に示す例示的な実施形態では、インテリジェントパッチング装置の第２セット５０４は、ラック１０６に設置されたラックコントローラを使用する必要がないＡＩＭ機能５１０を実装する。代わりに、パッチング装置５０４の各アイテムは、パッチング装置５０４のそのアイテムを外部ネットワーク１６０に直接結合するために、それぞれの外部ネットワークインタフェース５６４を含む。この例では、図１に示す例と同様に。外部ネットワーク１６０は、イーサネットＬＡＮを含み、外部ネットワークインタフェース５６４は、イーサネットインタフェースを含む。この方法では、パッチング装置５０４の各アイテムは、カスタマイーサネットＬＡＮ１６０を介してＡＩＭシステムマネージャ１６２とインタラクトできる。
【００７２】
図５に示す例示的な実施形態では、パッチング装置５０４の第２のセットは、正しく機能するためにラックコントローラ１２２を使用する必要はないが、ラックコントローラ１２２（より具体的には、ラックコントローラ１２２に含まれるプロセッサ１２４で実行されるソフトウェア１２６）およびＡＩＭシステムマネージャ１６２は、ＡＩＭアプリ１７６の代わりに、またはそれに加えて、ラックコントローラ１２２を使用するパッチング装置５０４の第２のセットに対して、情報を表示し、ユーザ入力を受け取るように構成されている。
【００７３】
パッチング装置の第２セット５０４に関する情報は、パッチング装置５０４とシステムマネージャ１６２の間で、カスタマＬＡＮ１６２を介して直接（つまり、最初にラックコントローラを通過することなく１２２）通信される。ラックコントローラ１２２のディスプレイユニット１３６に表示される情報は、ＡＩＭシステムマネージャ１６２からラックコントローラ１２２に伝達される。ラックコントローラ１２２のディスプレイユニット１３６を介して受信したユーザ入力は、カスタマのイーサネットＬＡＮ１６２経由で、ラックコントローラ１２２からＡＩＭシステムマネージャ１６２に通信される。パッチング装置の第２セット５０４との相互作用は、ラックコントローラ１２２経由で受信したユーザ入力に応じて作成する必要がある（例えば、所与のポート５１２の視覚インジケータ５１６を照らす必要がある場合）、ＡＩＭシステムマネージャ１６２は、関連するパッチング装置５０４で直接、これらのインタラクトを実行できる。同様に、ラックコントローラ１２２の表示部１３６に表示されている情報に応じてユーザがパッチング装置５０４のポート５１２で作成する接続イベントに関する情報は、パッチング装置５０４の関連アイテムから直接、ＡＩＭシステムマネージャ１６２に報告される。
【００７４】
ＡＩＭシステム５００では、インテリジェントパッチング装置５０４の第１のタイプに対して、異なるタイプのインテリジェントパッチング装置１０４で使用するために設計されたラックコントローラ１２２を使用して情報を表示でき、ユーザ入力を受け取ることができる。これは、ＡＩＭアプリ１７６の使用に加えて、またはその代わりに実行できる。これは、そのようなインタフェースを提供するために、ローカルにインストールされたハードウェアを使用する代わりにインタフェースとしてＡＩＭシステムマネージャ１６２を使用して行われる。これは、コスト、スペース、および、インタフェースとして機能するそのようなローカルハードウェアの配備に関連する能力を回避できる。
【００７５】
ここで説明する方法と手法は、デジタル電子回路、またはプログラマブルプロセッサ（例えば、コンピューターなどの専用プロセッサまたは汎用プロセッサ）、ファームウェア、ソフトウェア、またはそれらの組み合わせを使用して実装することができる。これらの技術を具体化する装置は、適切な入力および出力デバイス、プログラマブルプロセッサ、および、プログラマブルプロセッサによる実行用のプログラム命令を明らかに具体化する記憶媒体を含むことができる。これらの手法を具体化するプロセスは、入力データを操作し、適切な出力を生成することにより目的の機能を実行する命令のプログラムを実行するプログラム可能なプロセッサによって実行することができる。これらの技術は、データと指示を受け取るため、およびデータと指示を、データストレージシステム、少なくとも１つの入力デバイス、および少なくとも１つの出力デバイスに送信するために、少なくとも１つのプログラム可能なプロセッサが結合されているプログラム可能なシステムで実行可能な１つ以上のプログラムで有利に実装され得る。一般的に、プロセッサは、読み取り専用メモリやランダムアクセスメモリから命令とデータを受け取る。コンピュータプログラムの命令を明確に具体化するのに適したストレージデバイスおよびデータは、例えば、ＥＰＲＯＭ、ＥＥＰＲＯＭおよびフラッシュメモリデバイス、内蔵ハードディスクやリムーバブルディスク等の磁気ディスク、光磁気ディスク、およびＤＶＤディスクなど半導体メモリデバイスを含む、すべての形式の不揮発性メモリが含む。上記のいずれも、特別に設計された特定用途向け集積回路（ＡＳＩＣ）を追加し、または、組み込むことができる。
【００７６】
図解された例を含む前述の説明は、図示と説明の目的でのみ提示されており、網羅的であったり、開示された正確な形式に主題を限定したりすることを意図していない。さまざまな修正、適応、そしてその使用は、この開示の範囲から逸脱することなく。当業者には明らかである。上記の実例は、ここで議論した読者に一般的な主題を紹介するために与えられ、また、開示された概念の範囲を制限することを意図したものではない。
［実施例］
【００７７】
例１には、自動インフラ管理（ＡＩＭ）システムで使用するために、マルチラックラックコントローラが含まれている。ラックコントローラは、ソフトウェアを実行するように構成されたプロセッサと、各バスインタフェースがプロセッサを、複数のラックのそれぞれにインストールされているそれぞれのパッチング装置バスアセンブリに結合するように構成される、複数の独立したパッチング装置バスインタフェースと、を備える。ラックには、インテリジェントパッチング装置と通信し、インテリジェントパッチング装置に電力を供給するために、インテリジェントパッチング装置がインストールされている。
【００７８】
例２には、例１のラックコントローラが含まれており、ここで、プロセッサは、ラックコントローラが通信しているインテリジェントパッチング装置の所与のアイテムに対して、複数のパッチング装置バスインタフェースのどれに基づいて、所与のアイテムが設置されている、どのラックが、所与のアイテムとの通信に使用されているかを決定するように構成されている。
【００７９】
例３には、例２のラックコントローラが含まれている。ここで、複数のパッチング装置バスインタフェースが、複数のパッチング装置バスインタフェースのどれがラックコントローラの各ラックに取り付けられたインテリジェントパッチング装置の結合に使用する必要があるかを特定する所定のスキームをサポートするように配置されている。
【００８０】
例４には、例１−３のいずれかのラックコントローラが含まれている。これは、さらに、プロセッサを外部ネットワークに結合するように構成された外部ネットワークインタフェースを含む。
【００８１】
例５には、例４のラックコントローラが含まれている。ここで、外部ネットワークインタフェースは、プロセッサをイーサネットローカルエリアネットワーク（ＬＡＮ）に接続する。
【００８２】
例６には、例１−５のいずれかのラックコントローラが含まれている。これは、さらに、少なくとも１つのラックコントローラインタフェースを含み、各ラックコントローラインタフェースは、ラックコントローラを別のラックコントローラに接続するように構成されている。
【００８３】
例７には、例６のラックコントローラが含まれている。ここで、各ラックコントローラインタフェースは、前記ラックコントローラインタフェースが別のラックコントローラに接続されている場合、前記ラックコントローラインタフェースのそれぞれの感知信号に対して、それぞれの第１の所定のレベルを発現させ、そして、前記ラックコントローラインタフェースが別のラックコントローラに接続されていない場合、前記ラックコントローラインタフェースのそれぞれの感知信号に対してそれぞれの第２の所定のレベルを展開するように構成されたそれぞれの終端回路を備えている。ここで、プロセッサは、各ラックコントローラインタフェースが、は、それぞれの感知信号の関数として別のラックコントローラに接続されるかどうかを決定するように構成される。
【００８４】
例８には、例７のラックコントローラが含まれている。ここで、少なくとも１つのラックコントローラインタフェースは、デイジーチェーントポロジでラックコントローラのネットワークを確立するために、第１および第２ラックコントローラインタフェースを備える。
【００８５】
例９には、例８のラックコントローラが含まれている。ここで、第１ラックコントローラインタフェースのそれぞれの第１の所定のレベルは、第２のラックコントローラインタフェースのそれぞれの第１の所定のレベルと同じではない。
【００８６】
例１０には、例７−９のいずれかのラックコントローラが含まれている。ここで、各ラックコントローラは、イーサネットケーブルに取り付けられたＲＪ−４５プラグに接続するように構成されたそれぞれのＲＪ−４５ジャックを備えている。
【００８７】
例１１には、例１−１０のいずれかのラックコントローラが含まれている。これは、プロセッサと複数の独立したパッチング装置バスインタフェースを含むベースユニットをさらに備える。
【００８８】
例１２には、例１１のラックコントローラが含まれている。ここで、ベースユニットは、ベースユニットの前面に配置された位置特定ボタンを備えている。位置特定ボタンは、プロセッサに結合されており、プロセッサへのユーザ入力を提供し、ラックコントローラに、アプリをポータブルデバイスで実行するように動作可能なメッセージを送信させ、ラックコントローラ、１つ以上のラック、または、１つ以上のラックに取り付けられたパッチング装置のうちの少なくとも１つに関連する情報を表示させるために、位置特定ボタンを作動させることができる。
【００８９】
例１３には、例１１−１２のいずれかのラックコントローラが含まれている。これは、さらに、ケーブルを介してベースユニットに接続するように構成された表示ユニットを含む。
【００９０】
例１４には、自動化されたインフラストラクチャ管理（ＡＩＭ）システムで、使用するラックコントローラが含まれている。このラックコントローラは、ソフトウェアを実行するように構成されたプロセッサと、各々がプロセッサを、インテリジェントパッチング装置がインテリジェントなパッチング装置と通信し、そこに電力を供給するためにインストールされたそれぞれのラックに設置されたそれぞれのパッチング装置バスアセンブリに結合するように設定された、少なくとも１つのパッチング装置バスインタフェースと、各々が、ラックコントローラを別のラックコントローラに接続するように構成された少なくとも１つのラックコントローラインタフェースと、を備える。そして、各ラックコントローラインタフェースは、ラックコントローラインタフェースが別のラックコントローラに接続されている場合、前記ラックコントローラインタフェースのそれぞれの感知信号に対してそれぞれの第１の所定のレベルを発現させ、そして、ラックコントローラインタフェースが別のラックコントローラに接続されていない場合、ラックコントローラインタフェースのそれぞれの感知信号に対してそれぞれの第２の所定のレベルを展開するように構成されたそれぞれの終端回路を備えている。ここで、プロセッサは、各ラックコントローラインタフェースがそれぞれの感知信号の関数として別のラックコントローラに接続されるように構成される。
【００９１】
例１５には、例１４のラックコントローラが含まれている。ここで少なくとも１つのラックコントローラインタフェースは、デイジーチェーントポロジでラックコントローラのネットワークを確立するために第１および第２ラックコントローラインタフェースを備える。
【００９２】
例１６には、例１５のラックコントローラが含まれている。ここで、第１ラックコントローラインタフェースのそれぞれの第１の所定のレベルは、第２のラックコントローラインタフェースのそれぞれの第１の所定のレベルと同じではない。
【００９３】
例１７には、例１４−１６のいずれかのラックコントローラが含まれている。ここで、各ラックコントローラは、イーサネットケーブルに取り付けられたＲＪ−４５プラグに接続されるように構成されたそれぞれのＲＪ−４５ジャックを備えている。
【００９４】
例１８には、例１４−１７のいずれかのラックコントローラが含まれている。これは、さらに、プロセッサを外部ネットワークに結合するように構成された外部ネットワークインタフェースを含む。
【００９５】
例１９には、例１８のラックコントローラが含まれている。ここで、外部ネットワークインタフェースは、プロセッサをイーサネットローカルエリアネットワーク（ＬＡＮ）に接続する。
【００９６】
例２０には、例１４−１９のいずれかのラックコントローラが含まれている。これは、プロセッサを含むベースユニット、および、パッチング装置のバスインタフェースをさらに含む。
【００９７】
例２１には、例２０のラックコントローラが含まれている。ここで、ベースユニットは、プロセッサに結合され、ベースユニットの前面に配置された位置特定ボタンを備えている。ここで、プロセッサにユーザ入力を提供し、ラックコントローラに、ラックコントローラ、ラック、ラックに取り付けられたパッチング装置のうちの少なくとも１つに関連する情報を表示するためにポータブルデバイスでアプリを実行するように操作可能なメッセージを送信させるために位置特定ボタンを作動させることができる。
【００９８】
例２２には、例２０−２１のいずれかのラックコントローラが含まれている。これは、さらに、ケーブルを介してベースユニットに接続されるように構成された表示ユニットを含む。
【００９９】
例２３には、例１４−２２のいずれかのラックコントローラが含まれている。ここで、少なくとも１つのバスインタフェースは、複数の独立したパッチング装置バスインタフェースを備え、各パッチング装置バスインタフェースは、プロセッサを、複数のラックのそれぞれにインストールされているそれぞれのパッチング装置バスアセンブリに結合するように構成され、そのインテリジェントパッチング装置は、インテリジェントなパッチング装置と通信し、それに電力を供給するためにインストールされる。
【０１００】
例２４には、使用するラックコントローラが含まれている。自動化されたインフラストラクチャ管理（ＡＩＭ）システムにおいて、ラックコントローラは、基本ユニットを備える。この基本ユニットは、ソフトウェアを実行するように構成されたプロセッサと、各々が、インテリジェントパッチング装置がインテリジェントパッチング装置と通信して電力を供給するためにインストールされているそれぞれのラックに設置されたプロセッサをそれぞれのパッチング装置バスアセンブリに結合するように構成された、少なくとも１つのパッチング装置バスインタフェースと、プロセッサに結合されたベースユニットの前面に配置された位置特定ボタンとを備える。この位置特定ボタンは、ベースユニットに結合されたディスプレイユニットがなくてもプロセッサにユーザ入力を提供するために、ラックコントローラに、ラックコントローラ、ラック、ラックに取り付けられたパッチング装置うちの少なくとも１つに関連付けられているポータブルデバイスで実行中のアプリに情報を表示させるために操作可能なメッセージを送信させるように作動させることができる。
【０１０１】
例２５には、例２４のラックコントローラが含まれている。これは、さらに、ケーブルを介してベースユニットに接続されるように構成された表示ユニットを含む。
【０１０２】
例２６には、例２４−２５のいずれかのラックコントローラが含まれている。ここで、少なくとも１つのバスインタフェースは、複数の独立したパッチング装置バスインタフェースを備える。各パッチング装置バスインタフェースは、プロセッサを、インテリジェントパッチング装置と通信し、インテリジェントパッチング装置に電力を供給するために、インテリジェントパッチング装置がインストールされている複数のラックのそれぞれにインストールされているそれぞれのパッチング装置バスアセンブリに結合するように構成される。
【０１０３】
例２７には、例２４−２６のいずれかのラックコントローラが含まれている。これは、さらに、プロセッサを外部ネットワークに結合するように構成された外部ネットワークインタフェースを含む。
【０１０４】
例２８には、例２７のラックコントローラが含まれている。ここで、外部ネットワークインタフェースは、プロセッサをイーサネットローカルエリアネットワーク（ＬＡＮ）に接続する。
【０１０５】
例２９には、例２４−２８のいずれかのラックコントローラが含まれている。これは、さらに、少なくとも１つのラックコントローラインタフェースを含み、各ラックコントローラインタフェースは、ラックコントローラを別のラックコントローラに接続するように構成される。
【０１０６】
例３０には、例２９のラックコントローラが含まれている。ここで、各ラックコントローラインタフェースは、ラックコントローラインタフェースが別のラックコントローラに接続されている場合、ラックコントローラインタフェースのそれぞれの感知信号に対してそれぞれの第１の所定のレベルを展開し、および、ラックコントローラインタフェースが別のラックコントローラに接続されていない場合、ラックコントローラインタフェースのそれぞれの感知信号に対してそれぞれの第２の所定のレベルを展開するように構成されたそれぞれの終端回路を備えている。ここで、プロセッサは、各ラックコントローラインタフェースがそれぞれの感知信号の関数として別のラックコントローラに接続されるように構成される。
【０１０７】
例３１には、例３０のラックコントローラが含まれている。ここで、少なくとも１つのラックコントローラインタフェースは、デイジーチェーントポロジでラックコントローラのネットワークを確立するために、第１および第２ラックコントローラインタフェースを備える。
【０１０８】
例３２には、例３１のラックコントローラが含まれている。ここで、第１ラックコントローラインタフェースのそれぞれの第１の所定のレベルは、第２のラックコントローラインタフェースのそれぞれの第１の所定のレベルと同じではない。
【０１０９】
例３３には、例２９−３２のいずれかのラックコントローラが含まれており、ここで、各ラックコントローラは、イーサネットケーブルに取り付けられたＲＪ−４５プラグに接続されるように構成されたそれぞれのＲＪ−４５ジャックを備えている。
【図１】
2020523832.tif 000003
【図２】
2020523832.tif 000004
【図３】
2020523832.tif 000005
【図４】
2020523832.tif 000006
【図５】
2020523832.tif 000007
【国際調査報告】
2020523832.tif 000008
2020523832.tif 000009
2020523832.tif 000010